(57)【要約】【課題】  転動する遊技球の特定入賞口に対する入賞確率を向上させることのできるステージを備えた遊技機を提供すること。【解決手段】  遊技球が転動流下する遊技領域２０を有する遊技盤１００と、遊技領域２０に設けられた特定入賞口１４と、遊技領域２０において遊技球を受け入れ可能に設けられ、受け入れた遊技球の内の一部の遊技球を特定入賞口１４へと誘導し、他の遊技球を特定入賞口１４への誘導途中に転落させるステージ１９と有するもので、ステージ１９の前後幅は、遊技球が特定入賞口１４に誘導される方向に向かって狭く形成する。【選択図】        図４
2006304888.tif 000002
【特許請求の範囲】
【請求項１】
遊技球が転動流下する遊技領域を有する遊技盤と、
前記遊技領域に設けられた特定入賞口と、
前記遊技領域において遊技球を受け入れ可能に設けられ、受け入れた遊技球の内の一部の遊技球を前記特定入賞口へと誘導し、他の遊技球を前記特定入賞口への誘導途中に転落させるステージと有し、
前記ステージの前後幅は、遊技球が前記特定入賞口に誘導される方向に向かって狭く形成されていることを特徴とする遊技機。
【請求項２】
前記ステージは、前記遊技盤の表面から手前に延設されていることを特徴とする請求項１記載の遊技機。
【請求項３】
前記ステージには、当該ステージ上を前記特定入賞口へと向かう遊技球の流路を複数に分岐する分岐部が設けられていることを特徴とする請求項１または２記載の遊技機。
【請求項４】
前記ステージには、当該ステージに受け入れた遊技球を前記特定入賞口に誘導する途中に落下させるための切欠溝が形成されていることを特徴とする請求項１〜３の何れか一項に記載の遊技機。
【請求項５】
前記切欠溝の真下には、前記特定入賞口への遊技球の入賞によって与えられる利益よりも小さい利益を遊技者に与える一般入賞口が配置されていることを特徴とする請求項４記載の遊技機。
【発明の詳細な説明】
【技術分野】
【０００１】
本発明は遊技機に関し、特に、遊技媒体として遊技球が用いられる遊技機に設けられたステージに関するものである。
【背景技術】
【０００２】
遊技機の遊技盤には、遊技球が転動流下する領域である遊技領域に、遊技球を受け入れ可能にすることにより遊技球の動きに変化を与えるステージを備えたものが知られている（例えば、特開２００３−２８４８２７号公報、特開２００１−３０００６３号公報、特開２００１−２１８９０１号公報）。
【０００３】
これらの公報に記載の技術では、ステージにうねりを持たせたり障害物を設けることによって、ステージ上における遊技機を不規則に転動させ、これによって面白みを持たせている。
【特許文献１】特開２００３−２８４８２７号公報
【特許文献２】特開２００１−３０００６３号公報
【特許文献３】特開２００１−２１８９０１号公報
【発明の開示】
【発明が解決しようとする課題】
【０００４】
しかしながら、上述した従来の技術では、特定入賞口への入賞とは無関係の転動を伴うので、遊技球がステージ上にありながらも遊技者の期待感が喪失してしまう場合が発生していた。
【０００５】
したがって、遊技球の転動によって徐々に特定入賞口への入賞確率が向上していくようなステージ構造が望まれていた。
【０００６】
そこで、本発明は、転動する遊技球の特定入賞口に対する入賞確率を向上させることのできるステージを備えた遊技機を提供することを目的とする。
【課題を解決するための手段】
【０００７】
上記課題を解決するため、請求項１に記載の本発明の遊技機は、遊技球が転動流下する遊技領域を有する遊技盤と、遊技領域に設けられた特定入賞口と、遊技領域において遊技球を受け入れ可能に設けられ、受け入れた遊技球の内の一部の遊技球を特定入賞口へと誘導し、他の遊技球を特定入賞口への誘導途中に転落させるステージと有し、ステージの前後幅は、遊技球が特定入賞口に誘導される方向に向かって狭く形成されていることを特徴とする。
【０００８】
これにより、ステージ上を転動している遊技球が徐々に特定入賞口に向かうことにより当該特定入賞口に入賞する確率が高まっているように明確に見せることができる。
【０００９】
請求項２に記載の本発明は、請求項１記載の発明の構成に加えて、ステージは、遊技盤の表面から手前に延設されていることを特徴とする。
【００１０】
これにより、遊技球をステージに受け入れるための流路（いわゆるワープ口）を介さなくても遊技盤を流下している遊技球をステージに受け入れることが可能であるので、極めて簡単な構造で遊技者における遊技の期待感を維持させることができる。
【００１１】
請求項３に記載の本発明は、請求項１または２記載の発明の構成に加えて、ステージには、当該ステージ上を特定入賞口へと向かう遊技球の流路を複数に分岐する分岐部が設けられていることを特徴とする。
【００１２】
これにより、遊技球が分岐部で分岐されて何れの流路を通るかの興味を遊技者に与えることができるので、より遊技の興趣の向上を図ることができる。
【００１３】
請求項４に記載の本発明は、請求項１〜３の何れか一項に記載の発明の構成に加えて、ステージには、当該ステージに受け入れた遊技球を特定入賞口に誘導する途中に落下させるための切欠溝が形成されていることを特徴とする。
【００１４】
これにより、特定入賞口に向かっている遊技球が切欠溝に落下して入賞の可能性が喪失してしまうかの興味を遊技者に与えることができるので、より遊技の興趣の向上を図ることができる。
【００１５】
請求項５に記載の本発明は、請求項４記載の発明の構成に加えて、切欠溝の真下には、特定入賞口への遊技球の入賞によって与えられる利益よりも小さい利益を遊技者に与える一般入賞口が配置されていることを特徴とする。
【００１６】
これにより、遊技球が切欠溝に落下しても一般入賞口には入賞する可能性があるので、ステージに受け入れられた遊技球に対して遊技者に最後まで期待感を持続させることができる。
【発明の効果】
【００１７】
本発明によれば以下の効果を奏することができる。
【００１８】
すなわち、本発明によれば、ステージ上を転動している遊技球が徐々に特定入賞口に向かうことにより当該特定入賞口に入賞する確率が高まっているように明確に見せることができるので、遊技者における遊技球の入賞期待感を向上させることが可能になる。
【発明を実施するための最良の形態】
【００１９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２０】
図１は本発明の一実施の形態である遊技機を示す斜視図、図２は本実施の形態に係る遊技盤を示す正面図、図３は図２の遊技盤の斜視図、図４は図２および図３の遊技盤に設けられたステージを上方から見た概略図、図５は本発明の変形例としてのステージを上方から見た概略図、図６は本発明の他の変形例としてのステージを上方から見た概略図、図７は本発明のさらに他の変形例としてのステージを上方から見た概略図、図８は図７の斜視図、図９は本発明のさらに他の変形例としてのステージの斜視図である。
【００２１】
図１に示すように、パチンコ遊技機（遊技機）１は、遊技盤１００（図２参照）が装着された本体枠３ａがヒンジを介して島設備に固定される木枠３ｂに回動可能に取り付けられ（すなわち、本体枠３ａは、本体枠３ａの一方端を回動支点として支持されて当該木枠３ｂに開閉可能に取り付けられる。）、これら本体枠３ａおよび木枠３ｂで遊技機本体３が構成されている。そして、このような遊技機本体３に対して、遊技盤１００を視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００２２】
遊技盤１００は、図２に示すように、レール６に包囲され、遊技球の転動流下が可能な遊技領域２０を有している。そして、その遊技領域２０には、多数の遊技くぎや風車などの障害物（図示せず）、一般入賞口１２、通過ゲート１３、可変入賞装置である大入賞口１５、アウト口１６、特定入賞口１４と始動入賞口１７とを有する電動役物構成部材１８、遊技球が受け入れ可能なステージ１９からなる遊技部材が配置されている。
【００２３】
遊技盤１００の背面には、演出画像（例えば、遊技状態に対応したアニメーションやその他の報知情報など。）等を表示可能な表示領域２１ａを備えた表示装置である液晶表示装置（ＬＣＤ）２１が配置されている。
【００２４】
遊技盤１００が透明である本実施の形態では、液晶表示装置２１の表示領域２１ａが遊技盤１００を通して視認可能に配置されている。また、液晶表示装置２１にかえて、例えばＣＲＴ（陰極線管）あるいはプラズマディスプレイ等を用いることもできる。
【００２５】
上述したような遊技盤１００の下方には、図１に示すように、皿ユニット５が配置されている。
【００２６】
皿ユニット５の上部に、払い出された遊技球および遊技領域に打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー１０とが設けられている。
【００２７】
皿ユニット５の右側には、レール６を介して遊技盤１００の遊技領域へ遊技球を打ち込む際に回動操作されるハンドル７が設けられている。ハンドル７には遊技球の発射を停止させるストップボタン（図示せず）が設けられている。
【００２８】
なお、ガラス扉４の上部の左右に設けられた部位８ａ，８ｂは、本体枠３ａに設けられているスピーカ（図示せず）にそれぞれ対応して、スピーカからの音声が聞こえるような構造になっている。
【００２９】
図２および図３に示すように四角形の遊技盤１００には、その４ヶ所の隅部に、本体枠３ａに設けられた４ヶ所の係合部（図示せず）のそれぞれと係合するブラケット１１０，１２０、および係合部１３０，１４０が設けられている。これにより、遊技盤１００は、ブラケット１１０，１２０を回動支点にして本体枠４ａに取り付けられ、係合部１３０，１４０が本体枠３ａの係合部と係合することにより本体枠３ａに固定される。
【００３０】
図３および図４に詳しく示すように、ステージ１９は特定入賞口１４を両側から挟むようにして左右の２カ所に設けられ、特定入賞口１４に向かって僅かに下方に傾斜している。そして、受け入れた遊技球の内の一部の遊技球を特定入賞口１４へと誘導し、他の遊技球を特定入賞口１４への誘導途中に転落させるようになっており、その前後幅は、遊技球が特定入賞口１４に誘導される方向に向かって狭く形成されている。
【００３１】
さらに、ステージ１９には、このステージ１９に受け入れた遊技球を特定入賞口１４に誘導する途中に落下させるための切欠溝１９ａが形成されている。
【００３２】
そして、このようなステージ１９は遊技盤１００の表面から手前に延設されており、遊技球が受け入れやすくなるよう配慮されている。
【００３３】
なお、図示する場合には、ステージ１９の前後幅は、遊技球が特定入賞口１４に誘導される方向に向かって徐々に連続的に狭くなるように形成されているが、段差を形成することにより段階的に狭くなるようにしてもよい（図５参照）。
【００３４】
このようなステージ１９が遊技盤１００に設けられたパチンコ遊技機１において、発射装置（図示せず）から打ち出された遊技球は、レール６に案内されて弧を描くようにして遊技盤１００の盤面を上昇し、遊技領域２０に導入される。遊技領域２０に導入された遊技球は、障害釘などの遊技部材により不規則に転動流下していく。そして、一部の遊技球はステージ１９に受け入れられる。
【００３５】
ここで、前述のようにステージ１９は特定入賞口１４に向かって僅かに下方に傾斜しているので、ステージ１９上の遊技球は特定入賞口１４の方へと転動を開始する。
【００３６】
図４において、ステージ１９の前後幅が、遊技球が特定入賞口に誘導される方向に向かって狭く形成されているので、特定入賞口１４の方へと転動を開始した遊技球の多くは、特定入賞口１４への誘導途中にどんどん転落していく。しかしながら、一部の遊技球は、ステージ１９から転落することなく特定入賞口１４へと誘導されてここに入球する。
【００３７】
このように、ステージ１９上を転動している遊技球が徐々に特定入賞口１４に向かうことにより、特定入賞口１４に入賞する確率が高まっているように明確に見せることができ、遊技者における遊技球の入賞期待感を向上させることが可能になる。
【００３８】
また、遊技盤１００の表面から手前に延設されているので、遊技球をステージ１９に受け入れるための流路（いわゆるワープ口）を介さなくても遊技盤１００を流下している遊技球をステージ１９に受け入れることが可能になり、極めて簡単な構造で遊技者における遊技の期待感を維持させることができる。
【００３９】
さらに、ステージ１９には切欠溝１９ａが形成されているので、特定入賞口１４に向かっている遊技球が切欠溝１９ａに落下して入賞の可能性が喪失してしまうかの興味を遊技者に与えることができ、より遊技の興趣の向上を図ることができる。
【００４０】
図５に示すステージ１９では、ステージ１９上を特定入賞口１４へと向かう遊技球の流路を複数に分岐する分岐部１９ｂが設けられたものである。このようにすれば、遊技球が分岐部１９ｂで分岐されて何れの流路を通るかの興味を遊技者に与えることができるので、より遊技の興趣の向上を図ることができる。なお、図示する場合には、ステージ１９には平面方向に沿った段差が形成され、段階的に狭くなっている。
【００４１】
ここで、本発明において分岐部１９ｂや前述した切欠溝１９ａなどはステージ１９には形成されていなくてもよいが、形成されていれば、ステージ１９上における遊技球の転動方向の予測可能性が低下して意外性が増加するので、それだけ遊技に変化が生まれて遊技者の興味が増すこととなり望ましい。なお、ステージ１９には、切欠溝１９ａと分岐部１９ｂとを併設してもよい。さらに、切欠溝１９ａや分岐部１９ｂの数は図示するものに限定されるものではなく、所望の数だけ設けることができる。
【００４２】
さて、ステージ１９は、図６に示すように、ステージ１９の後方側が遊技盤１００内に埋め込まれたような構成になっていてもよい。このような形状にすれば、ステージ１９の前後幅を大きくとっても遊技盤１００の手前に設けられたガラスに干渉しにくくなるため、ステージ１９の面積が広くできて遊技球の転動面積が広がる。
【００４３】
なお、図６に示す場合には、特定入賞口１４はステージ１９の前面に位置することになるので、特定入賞口１４の近傍まで転動した遊技球がより当該入賞口１４に入球しやすくなるように、ステージ１９の転動面から一段低くなり、特定入賞口１４の開口と同一平面となるような段差１９ｃを形成するのがよい。
【００４４】
さらに、図７および図８に示すように、ステージ１９は、その全体が遊技盤１００内に埋め込まれたような構成になっていてもよい。このような形状にすれば、図６に示す場合よりもさらにステージ１９の面積が広くできて遊技球の転動面積が広がる。
【００４５】
なお、図７および図８に示す場合には、特定入賞口１４の位置を遊技盤１００の盤面と一致させるために、ステージ１９の中央から特定入賞口１４へと延びる連絡路１９ｄを形成するのがよい。さらに、遊技球が連絡路１９ｄを特定入賞口１４に向かって転動しているときに落下するという不利益を遊技者に与えないよう、連絡路１９ｄの両側には、落下防止壁１９ｅを立設するのが望ましい。
【００４６】
そして、このような構成においては、図９に示すように、切欠溝１９ａの真下には一般入賞口１２（特定入賞口１４への遊技球の入賞によって与えられる利益（払出賞球数）よりも小さい利益を遊技者に与える入賞口）を配置してもよい。
【００４７】
このようにすれば、遊技球が切欠溝１９ａに落下しても一般入賞口１２には入賞する可能性があるので、ステージ１９に受け入れられた遊技球に対して遊技者に最後まで期待感を持続させることができる。
【００４８】
なお、図９に示す場合には、特定入賞口１４側の切欠溝１９ａに対応した一般入賞口１２のみが設けられているが、他方の切欠溝１９ａに対応した一般入賞口を設けてもよいことは、あるいは、この他方の切欠溝１９ａに対応した一般入賞口を設けてもよいことはもちろんである。
【産業上の利用可能性】
【００４９】
以上の説明においては、本発明を遊技機の一つであるパチンコ遊技機に適用した場合が説明されているが、本発明はパチンコ遊技機に限定されるものではなく、たとえばスマートボールや雀球など遊技媒体として遊技球を用いた様々な遊技機に適用することが可能である。
【図面の簡単な説明】
【００５０】
【図１】本発明の一実施の形態である遊技機を示す斜視図である。
【図２】本実施の形態に係る遊技盤を示す正面図である。
【図３】図２の遊技盤の斜視図である。
【図４】図２および図３の遊技盤に設けられたステージを上方から見た概略図である。
【図５】本発明の変形例としてのステージを上方から見た概略図である。
【図６】本発明の他の変形例としてのステージを上方から見た概略図である。
【図７】本発明のさらに他の変形例としてのステージを上方から見た概略図である。
【図８】図７の斜視図である。
【図９】本発明のさらに他の変形例としてのステージの斜視図である。
【符号の説明】
【００５１】
１  パチンコ遊技機（遊技機）
３  遊技機本体
３ａ  本体枠
３ｂ  木枠
４  ガラス扉
４ａ  本体枠
５  皿ユニット
５ａ  上皿
５ｂ  下皿
６  レール
７  ハンドル
１０  シャッタレバー
１２  一般入賞口
１３  通過ゲート
１４  特定入賞口
１５  大入賞口
１６  アウト口
１７  始動入賞口
１８  電動役物構成部材
１９  ステージ
１９ａ  切欠溝
１９ｂ  分岐部
１９ｃ  段差
１９ｄ  連絡路
１９ｅ  落下防止壁
２０  遊技領域
２１  液晶表示装置
２１ａ  表示領域
１００  遊技盤
１１０，１２０  ブラケット
１３０，１４０  係合部
【図１】
2006304888.tif 000003
【図２】
2006304888.tif 000004
【図３】
2006304888.tif 000005
【図４】
2006304888.tif 000006
【図５】
2006304888.tif 000007
【図６】
2006304888.tif 000008
【図７】
2006304888.tif 000009
【図８】
2006304888.tif 000010
【図９】
2006304888.tif 000011